(57)【特許請求の範囲】
【請求項１】
内臓脂肪測定装置であって、
前記内臓脂肪測定装置は、本体部、測定部、電流印加用電極対、電圧測定用電極対、上部目印部、および、下部目印部を有し、
前記本体部は、被測定体に固定するための構造、または、測定者が保持するための構造を有し、前記測定部に取り付けられ、
前記測定部の高さ方向の寸法は、前記被測定体の肋骨下縁を通過し、かつ、前記被測定体の体幹軸が直交する面である肋骨面と、前記被測定体の上前腸骨極棘を通過し、かつ、前記被測定体の体幹軸が直交する面である腸骨面との間の寸法に対応し、
前記電流印加用電極対は、前記測定部のうちの前記被測定体の腹部と対応する部分に取り付けられ、第１の電流印加用電極および第２の電流印加用電極を含み、
前記第１の電流印加用電極および前記第２の電流印加用電極は、前記測定部の高さ方向の位置が互いに異なり、かつ、前記測定部において前記被測定体の腹囲に対応する方向の位置が実質的に一致し、
前記第１の電流印加用電極および前記第２の電流印加用電極の一方は、前記測定部のうちの上側端部に取り付けられ、
前記第１の電流印加用電極および前記第２の電流印加用電極の他方は、前記測定部のうちの下側端部に取り付けられ、
前記電圧測定用電極対は、前記測定部のうちの前記被測定体の腹部に対応する部分に取り付けられ、第１の電圧測定用電極および第２の電圧測定用電極を含み、
前記測定部の高さ方向において前記電圧測定用電極対が存在する範囲は、前記測定部において前記第１の電流印加用電極を含む高さと、前記測定部において前記第２の電流印加用電極を含む高さとの間であり、
前記上部目印部は、前記測定部に形成され、前記測定部のうちの前記被測定体の肋骨下縁と対応する部分、または、前記前記被測定体の肋骨下縁と対応する部分に対して所定の間隔を隔てた部分に形成され、
前記下部目印部は、前記測定部に形成され、前記測定部のうちの前記被測定体の上前腸骨棘と対応する部分、または、前記被測定体の上前腸骨棘と対応する部分に対して所定の間隔を隔てた部分に形成されている
内臓脂肪測定装置。
【請求項２】
内臓脂肪測定装置であって、
前記内臓脂肪測定装置は、本体部、測定部、電流印加用電極対、および、電圧測定用電極対を有し、
前記本体部は、被測定体に固定するための構造、または、測定者が保持するための構造を有し、前記測定部に取り付けられ、
前記電流印加用電極対は、前記測定部のうちの前記被測定体の腹部と対応する部分に取り付けられ、第１の電流印加用電極および第２の電流印加用電極を含み、
前記第１の電流印加用電極および前記第２の電流印加用電極は、前記測定部の高さ方向の位置が互いに異なり、かつ、前記測定部において前記被測定体の腹囲に対応する方向の位置が実質的に一致し、
前記電圧測定用電極対は、前記測定部のうちの前記被測定体の腹部に対応する部分に取り付けられ、第１の電圧測定用電極および第２の電圧測定用電極を含み、
前記第１の電圧測定用電極および前記第２の電圧測定用電極は、前記測定部の高さ方向の位置が互いに異なり、かつ、前記測定部において前記被測定体の腹囲に対応する方向の位置が実質的に一致し、
前記測定部の高さ方向において前記電圧測定用電極対が存在する範囲は、前記測定部において前記第１の電流印加用電極を含む高さと、前記測定部において前記第２の電流印加用電極を含む高さとの間であり、
前記被測定体の腹囲に対応する方向における前記第１の電圧測定用電極および前記第２の電圧測定用電極の位置は、前記被測定体の腹囲に対応する方向における前記第１の電流印加用電極および前記第２の電流印加用電極の位置と異なる
内臓脂肪測定装置。
【請求項３】
前記測定部は、右側第１基準位置、右側第２基準位置、左側第１基準位置、および、左側第２基準位置を有し、
前記右側第１基準位置は、前記測定部の一部分であって、前記被測定体の右半身の体表に投影されて上前腸骨棘を通過する体幹軸の投影線、および、前記被測定体の体幹軸の両方を通過する仮想面に対応し、
前記右側第２基準位置は、前記測定部の一部分であって、前記被測定体の前額面と同一の平面上に存在して前記被測定体の右半身の体表を通過する仮想面に対応し、
前記左側第１基準位置は、前記測定部の一部分であって、前記被測定体の左半身の体表に投影されて上前腸骨棘を通過する体幹軸の投影線、および、前記被測定体の体幹軸の両方を通過する仮想面に対応し、
前記左側第２基準位置は、前記測定部の一部分であって、前記被測定体の前額面と同一の平面上に存在して前記被測定体の左半身の体表を通過する仮想面に対応し、
前記電流印加用電極対は、前記右側第１基準位置と前記右側第２基準位置との間、または、前記左側第１基準位置と前記左側第２基準位置との間に配置されている
請求項１または２に記載の内臓脂肪測定装置。
【請求項４】
前記測定部は、前記被測定体の臍を通過し、かつ、前記被測定体の体幹軸が直交する面である臍面と対応する部分である臍面対応部分を含み、
前記第１の電圧測定用電極は、前記臍面対応部分よりも上側に配置され、
前記第２の電圧測定用電極は、前記臍面対応部分よりも下側に配置されている
請求項１〜３のいずれか一項に記載の内臓脂肪測定装置。
【請求項５】
前記内臓脂肪測定装置は、可動部を有し、
前記電圧測定用電極は、前記可動部に取り付けられ、
前記可動部は、前記測定部に取り付けられ、前記被測定体の腹囲において前記測定部に対して変位する構造を有している
請求項１〜４のいずれか一項に記載の内臓脂肪測定装置。
【請求項６】
前記内臓脂肪測定装置は、制御部を有し、
前記制御部は、前記電圧測定用電極対の測定電圧に基づいて内臓脂肪の体積を算出する
請求項１〜５のいずれか一項に記載の内臓脂肪測定装置。
【請求項７】
前記内臓脂肪測定装置は、表示部を有し、
前記表示部は、前記電圧測定用電極対の測定電圧に基づいて内臓脂肪の三次元的な分布を表示する
請求項１〜６のいずれか一項に記載の内臓脂肪測定装置。
【発明の詳細な説明】
【技術分野】
【０００１】
本発明は、複数の電極対を有する内臓脂肪測定装置に関する。
【背景技術】
【０００２】
特許文献１の内臓脂肪測定装置では、図５（ｂ）に示される被測定体７０の周上に電極を配置してこの周上についての断面の内臓脂肪８２を測定している。
【先行技術文献】
【特許文献】
【０００３】
【特許文献１】特開平２００２−３６９８０６号公報
【発明の概要】
【発明が解決しようとする課題】
【０００４】
一方、図５（ａ）に示されるように内臓脂肪８２は実際には三次元的な分布をしている。このため、被測定体７０の周上に電極を配置する上記内臓脂肪測定装置によれば測定断面の内臓脂肪を反映した測定結果しか得られず、内臓脂肪の体積を精度良く測定することが難しい。
【０００５】
本発明は、内臓脂肪の体積の推定精度を高めることに貢献する内臓脂肪測定装置を提供することを目的としている。
【課題を解決するための手段】
【０００６】
〔１〕本内臓脂肪測定装置の独立した一形態は、次の事項を有する。前記内臓脂肪測定装置は、本体部、測定部、電流印加用電極対、電圧測定用電極対、上部目印部、および、下部目印部を有し、前記本体部は、被測定体に固定するための構造、または、測定者が保持するための構造を有し、前記測定部に取り付けられ、前記測定部の高さ方向の寸法は、前記被測定体の肋骨下縁を通過し、かつ、前記被測定体の体幹軸が直交する面である肋骨面と、前記被測定体の上前腸骨極棘を通過し、かつ、前記被測定体の体幹軸が直交する面である腸骨面との間の寸法に対応し、前記電流印加用電極対は、前記測定部のうちの前記被測定体の腹部と対応する部分に取り付けられ、第１の電流印加用電極および第２の電流印加用電極を含み、前記第１の電流印加用電極および前記第２の電流印加用電極は、前記測定部の高さ方向の位置が互いに異なり、かつ、前記測定部において前記被測定体の腹囲に対応する方向の位置が実質的に一致し、前記第１の電流印加用電極および前記第２の電流印加用電極の一方は、前記測定部のうちの上側端部に取り付けられ、前記第１の電流印加用電極および前記第２の電流印加用電極の他方は、前記測定部のうちの下側端部に取り付けられ、前記電圧測定用電極対は、前記測定部のうちの前記被測定体の腹部に対応する部分に取り付けられ、第１の電圧測定用電極および第２の電圧測定用電極を含み、前記測定部の高さ方向において前記電圧測定用電極対が存在する範囲は、前記測定部において前記第１の電流印加用電極を含む高さと、前記測定部において前記第２の電流印加用電極を含む高さとの間であり、前記上部目印部は、前記測定部に形成され、前記測定部のうちの前記被測定体の肋骨下縁と対応する部分、または、前記前記被測定体の肋骨下縁と対応する部分に対して所定の間隔を隔てた部分に形成され、前記下部目印部は、前記測定部に形成され、前記測定部のうちの前記被測定体の上前腸骨棘と対応する部分、または、前記被測定体の上前腸骨棘と対応する部分に対して所定の間隔を隔てた部分に形成されている。
〔２〕本内臓脂肪測定装置の独立した別の一形態は、次の事項を有する。  前記内臓脂肪測定装置は、本体部、測定部、電流印加用電極対、および、電圧測定用電極対を有し、前記本体部は、被測定体に固定するための構造、または、測定者が保持するための構造を有し、前記測定部に取り付けられ、前記電流印加用電極対は、前記測定部のうちの前記被測定体の腹部と対応する部分に取り付けられ、第１の電流印加用電極および第２の電流印加用電極を含み、前記第１の電流印加用電極および前記第２の電流印加用電極は、前記測定部の高さ方向の位置が互いに異なり、かつ、前記測定部において前記被測定体の腹囲に対応する方向の位置が実質的に一致し、前記電圧測定用電極対は、前記測定部のうちの前記被測定体の腹部に対応する部分に取り付けられ、第１の電圧測定用電極および第２の電圧測定用電極を含み、前記第１の電圧測定用電極および前記第２の電圧測定用電極は、前記測定部の高さ方向の位置が互いに異なり、かつ、前記測定部において前記被測定体の腹囲に対応する方向の位置が実質的に一致し、前記測定部の高さ方向において前記電圧測定用電極対が存在する範囲は、前記測定部において前記第１の電流印加用電極を含む高さと、前記測定部において前記第２の電流印加用電極を含む高さとの間であり、前記被測定体の腹囲に対応する方向における前記第１の電圧測定用電極および前記第２の電圧測定用電極の位置は、前記被測定体の腹囲に対応する方向における前記第１の電流印加用電極および前記第２の電流印加用電極の位置と異なる。
〔３〕前記内臓脂肪測定装置の一形態は、次の事項を有する。前記測定部は、右側第１基準位置、右側第２基準位置、左側第１基準位置、および、左側第２基準位置を有し、前記右側第１基準位置は、前記測定部の一部分であって、前記被測定体の右半身の体表に投影されて上前腸骨棘を通過する体幹軸の投影線、および、前記被測定体の体幹軸の両方を通過する仮想面に対応し、前記右側第２基準位置は、前記測定部の一部分であって、前記被測定体の前額面と同一の平面上に存在して前記被測定体の右半身の体表を通過する仮想面に対応し、前記左側第１基準位置は、前記測定部の一部分であって、前記被測定体の左半身の体表に投影されて上前腸骨棘を通過する体幹軸の投影線、および、前記被測定体の体幹軸の両方を通過する仮想面に対応し、前記左側第２基準位置は、前記測定部の一部分であって、前記被測定体の前額面と同一の平面上に存在して前記被測定体の左半身の体表を通過する仮想面に対応し、前記電流印加用電極対は、前記右側第１基準位置と前記右側第２基準位置との間、または、前記左側第１基準位置と前記左側第２基準位置との間に配置されている。
〔４〕前記内臓脂肪測定装置の一形態は、次の事項を有する。前記測定部は、前記被測定体の臍を通過し、かつ、前記被測定体の体幹軸が直交する面である臍面と対応する部分である臍面対応部分を含み、前記第１の電圧測定用電極は、前記臍面対応部分よりも上側に配置され、前記第２の電圧測定用電極は、前記臍面対応部分よりも下側に配置されている。
〔５〕前記内臓脂肪測定装置の一形態は、次の事項を有する。前記内臓脂肪測定装置は、可動部を有し、前記電圧測定用電極は、前記可動部に取り付けられ、前記可動部は、前記測定部に取り付けられ、前記被測定体の腹囲において前記測定部に対して変位する構造を有している。
〔６〕前記内臓脂肪測定装置の一形態は、次の事項を有する。前記内臓脂肪測定装置は、制御部を有し、前記制御部は、前記電圧測定用電極対の測定電圧に基づいて内臓脂肪の体積を算出する。
〔７〕前記内臓脂肪測定装置の一形態は、次の事項を有する。前記内臓脂肪測定装置は、表示部を有し、前記表示部は、前記電圧測定用電極対の測定電圧に基づいて内臓脂肪の三次元的な分布を表示する。
【発明の効果】
【００１６】
本内臓脂肪測定装置によれば、内臓脂肪の体積の推定精度が高められやすくなる。
【図面の簡単な説明】
【００１７】
【図１】第１実施形態の内臓脂肪測定装置のブロック図。
【図２】（ａ）第１実施形態の内臓脂肪測定装置の背面図。（ｂ）内臓脂肪測定装置の正面図。
【図３】第１実施形態の内臓脂肪測定装置と被測定体との関係を示す模式図。
【図４】第１実施形態の内臓脂肪測定装置と被測定体との関係を示す模式図。
【図５】被測定体の内臓脂肪分布の一例を示す模式図。
【図６】第１実施形態の電極と被測定体との関係を示す模式図。
【図７】第１実施形態の電極と被測定体との関係を示す模式図。
【図８】第２実施形態の電極と被測定体との関係を示す模式図。
【図９】第３実施形態の電極と被測定体との関係を示す模式図。
【図１０】第４実施形態の電極と被測定体との関係を示す模式図。
【図１１】第５実施形態の電極と被測定体との関係を示す模式図。
【図１２】第６実施形態の電極と被測定体との関係を示す模式図。
【図１３】第７実施形態の電極と被測定体との関係を示す模式図。
【図１４】（ａ）第８実施形態の内臓脂肪測定装置の背面図。（ｂ）電極が取り付けられた状態を示す背面図。（ｃ）さらに電極が取り付けられた状態を示す背面図。
【図１５】第１実施形態の変形例における電極と被測定体との関係を示す模式図。
【図１６】（ａ）第１実施形態の変形例における内臓脂肪測定装置と被測定体との関係を示す模式図。（ｂ）内臓脂肪測定装置の正面図。
【図１７】第１実施形態の変形例における内臓脂肪測定装置と被測定体との関係を示す模式図。
【発明を実施するための形態】
【００１８】
（第１実施形態）
図１〜図７を参照して、本発明の第１実施形態について説明する。
図１に示されるように、内臓脂肪測定装置１０は、内臓脂肪の測定を行う測定部２０と、当該装置１０を測定対象に巻き付けて固定するためのベルト部１１とを含む。
【００１９】
測定部２０は、測定対象（図３の被測定体７０）に電流を印加して電圧を検出する検出部２１と、内臓脂肪測定に必要な情報を入力するための操作部２２と、各種情報を測定者に提示する表示部２３と、検出部２１の測定結果に基づく演算等を行う制御部５０とを含む。
【００２０】
検出部２１は、測定対象に電流を印加する電流印加用電極対３１と、測定対象の電圧を測定する電圧測定用電極対４１とを備えている。電流印加用電極対３１は、２つの電流印加用電極３１Ａ，３１Ｂにより構成されている。電圧測定用電極対４１は、２つの電圧測定用電極４１Ａ，４１Ｂにより構成されている。電流印加用電極３１Ａ，３１Ｂおよび電圧測定用電極４１Ａ，４１Ｂはそれぞれ信号の伝達が可能な伝達線２４により制御部５０に接続されている。
【００２１】
制御部５０は、測定者が操作部２２を操作して内臓脂肪の測定が開始されたとき、電流印加用電極対３１による電流の印加を開始する。制御部５０は、測定された電圧値および操作部２２を介して入力された各種値等に基づいて、内臓脂肪量、特に内臓脂肪の体積を算出する。算出された内臓脂肪量は表示部２３に表示される。具体的には、測定された電圧値および、測定者により操作部２２を介して入力された腹囲、年齢、性別などのその他任意のパラメータを用いたアルゴリズムから、内臓脂肪の分布を三次元画像として表示する。
【００２２】
図２を参照して、内臓脂肪測定装置１０の構造について説明する。図２（ａ）では、内臓脂肪測定装置１０の検出部２１が設けられるとともに測定対象に巻きつけられた状態で測定対象と対向するベルト部１１の背面１１Ａを示している。また、図２（ｂ）では、背面１１Ａとは異なるベルト部１１の前面１１Ｂを示している。また、内臓脂肪測定装置１０の長手方向を「横方向Ｘ」とする。被測定体７０に巻きつけられた状態において右半身側を右側とするとともに左半身側を左側とする。また、横方向Ｘと垂直な短手方向を「縦方向Ｙ」とする。被測定体７０に巻きつけられた状態において頭頂側を上側とするとともに爪先側を下側とする。
【００２３】
図２に示されるように、内臓脂肪測定装置１０は、測定対象に対して密着して巻きつけるためのベルト部１１を備えている。ベルト部１１は、測定部２０の横方向Ｘの両側に延伸して設けられている。
【００２４】
測定部２０には、電極面が露出した状態で電流印加用電極対３１および電圧測定用電極対４１が設けられている。電極材としては、ＳＵＳおよび樹脂材表面を金属めっき処理したものが用いられている。また、測定部２０には内臓脂肪測定装置１０に用いられる電源が内蔵されている。内臓脂肪測定装置１０のベルト部１１の前面１１Ｂには、測定者が測定部２０を測定対象に取り付けるときの目印となる２つの目印部１２と、操作部２２の操作ボタンと、表示部２３のディスプレイとが設けられている。
【００２５】
目印部１２の一方である目印部１２Ａは、横方向Ｘにおいて測定部２０の中央よりも右側、かつ縦方向Ｙにおいて上側端部に設けられている。他方の目印部１２Ｂは測定部２０の下側端部、かつ中央よりも右側に設けられている。
【００２６】
背面１１Ａの右側端部および前面１１Ｂの左側端部にはファスナ１３が設けられている。測定者は、ベルト部１１を測定対象に巻きつけた後に前面１１Ｂおよび背面１１Ａのファスナ１３を互いに貼り合わせることにより、内臓脂肪測定装置１０を測定対象に固定することができる。
【００２７】
各電流印加用電極３１Ａ，３１Ｂおよび各電圧測定用電極４１Ａ，４１Ｂは、測定部２０の上側かつ右側の端部から下側かつ右側の端部にかけて電極３１Ａ、電極４１Ａ、電極４１Ｂおよび電極３１Ｂの順に縦方向Ｙ上に一直線かつ等間隔に配置されている。
【００２８】
前面１１Ｂ側から見た各電極の詳細な配置箇所のまとめを以下に示す。
・電極３１Ａは、横方向Ｘの位置が測定部２０の右側端部に設定され、かつ縦方向Ｙの位置が測定部２０の上側端部に設定されている。
・電極３１Ｂは、横方向Ｘの位置が測定部２０の右側端部に設定され、かつ縦方向Ｙの位置が測定部２０の下側端部に設定されている。
・電極４１Ａは、横方向Ｘの位置が測定部２０の右側端部に設定され、かつ縦方向Ｙの位置が電極３１Ａと電極３１Ｂとの間において電極３１Ａ寄りに設定されている。
・電極４１Ｂは、横方向Ｘの位置が測定部２０の右側端部に設定され、かつ縦方向Ｙの位置が電極３１Ａと電極３１Ｂとの間において電極４１Ａよりも下側に設定されている。
【００２９】
このように、各電流印加用電極３１Ａ，３１Ｂおよび各電圧測定用電極４１Ａ，４１Ｂは横方向Ｘにおいていずれも同一の位置に配置されている。また、各電圧測定用電極４１Ａ，４１Ｂは縦方向Ｙにおいて各電流印加用電極３１Ａ，３１Ｂの間に配置されている。
【００３０】
図３および図４を参照して、内臓脂肪測定装置１０を測定対象としての被測定体７０に取り付けるときの手順を説明する。なお、図３は被測定体７０に対する測定部２０の位置あわせが行われた状態を、また図４はベルト部１１が被測定体７０に巻き付けられた状態をそれぞれ示している。
【００３１】
ここで、被測定体７０の体幹の長手方向に沿う軸線、すなわち被測定体７０が立位の姿勢にあるときに頭頂から地面に垂直にひかれる軸線を「体幹軸ＣＢ」とする。また、腹部７１の上端である肋骨下縁７６を通過し、かつ体幹軸ＣＢが垂直に交差する面を「肋骨面ＸＳ」とする。また、腹部７１の下端において腰骨が突出している上前腸骨棘７４（図５参照）を通過し、かつ体幹軸ＣＢが垂直に交差する面を「腸骨面ＸＨ」とする。また、腹部７１の臍７２を通過し、かつ体幹軸ＣＢが垂直に交差する面を「臍面ＸＮ」とする。なお、右半身および左半身はそれぞれ臍７２よりも右側および左側の部分に相当する。肋骨面ＸＳから腸骨面ＸＨまでを腹部７１とし、肋骨面ＸＳよりも上側を胸部７５とし、腸骨面ＸＨよりも下側を腰部７３とする。
【００３２】
図３に示されるように、被測定体７０は立位の状態で腹部７１の表面にベルト部１１の背面１１Ａ（図２（ａ）参照）を当てる。このとき、目印部１２Ａの横方向Ｘの位置を肋骨下縁７６に合わせる。また、目印部１２Ａの縦方向Ｙの位置を肋骨面ＸＳ付近かつ同面ＸＳよりも下側に合わせる。また、目印部１２Ｂの横方向Ｘの位置を上前腸骨棘７４に合わせる、また、目印部１２Ｂの縦方向Ｙの位置を腸骨面ＸＨ付近かつ同面ＸＨよりも上側に合わせる。そして、ベルト部１１の横方向Ｘの両端部を背中側に回してファスナ１３によりベルト部１１を被測定体７０に固定する。
【００３３】
図４に示されるように、ベルト部１１が被測定体７０の腹部７１に巻きつけられたとき、電流印加用電極対３１および電圧測定用電極対４１は被測定体７０の体表面に接触している。電極３１Ａ，３１Ｂ，４１Ａ，４１Ｂは、体幹軸ＣＢを凹凸のある体表面に投影した投影線ＣＳ上に配置される。そして、この状態で測定者が操作部２２を操作することにより内臓脂肪８２の測定が開始される。
【００３４】
図５を参照して、内臓脂肪測定装置１０の被測定体７０の体脂肪８０の構造について説明する。ここで、被測定体７０の前部７１Ａと背部７１Ｂの境界を通過し、かつ体幹軸ＣＢと平行な面を「前額面ＹＦ」とする。また右半身において前額面ＹＦと一致する部位を右脇腹７１Ｃとし、左半身において前額面ＹＦと一致する部位を左脇腹７１Ｄとする。
【００３５】
図５（ａ）は被測定体７０の肋骨面ＸＳから腸骨面ＸＨまでの三次元的な体脂肪８０の分布をそれぞれ示している。図５（ｂ）は被測定体７０の臍面ＸＮの体脂肪８０の分布を示している。図５（ｃ）は被測定体７０の腸骨面ＸＨの体脂肪８０の分布を示している。なお、図５（ａ）においては内臓脂肪８２の分布をハッチングにより示している。図５（ｂ）および図５（ｃ）においては皮下脂肪８１および内臓脂肪８２を含めた体脂肪８０の分布をハッチングにより示している。
【００３６】
図５（ａ）および図５（ｂ）に示されるように、被測定体７０の臍７２を通り体幹軸ＣＢに垂直な断面において、被測定体７０の体表面下には皮下脂肪８１が全周において層状に存在し、かつ前部７１Ａおよび背部７１Ｂにおいて皮下脂肪８１により厚みのある層が形成されている。一方、左脇腹７１Ｄおよび右脇腹７１Ｃにおいては比較的薄い皮下脂肪８１の層が形成されている。また、皮下脂肪８１の層と筋肉８３の層とを隔てた腹腔内の臓器の間には内臓脂肪８２が存在している。体脂肪８０は背骨７７を中心に略左右対称となるように分布している。被測定体７０の体脂肪８０は、体幹軸ＣＢに対して垂直な各断面で異なる。
【００３７】
図５（ｂ）および（ｃ）に示されるように、腸骨面ＸＨにおいて、右脇腹７１Ｃおよび左脇腹７１Ｄよりも臍７２側において上前腸骨棘７４が突出している。
内臓脂肪８２は図５（ａ）および図５（ｂ）中の破線で囲んだ部分に示されるように、腹部７１の上側において、前部７１Ａの右脇腹７１Ｃと右半身の上前腸骨棘７４、および左脇腹７１Ｄと左半身の上前腸骨棘７４との間において特に多く分布している。また、筋肉８３に囲まれた腹腔内において、中央よりも外周側に偏って分布している。
【００３８】
図６および図７を参照して、被測定体７０に対する電流印加用電極対３１および電圧測定用電極対４１の配置、並びに体脂肪８０の測定方法の概要について説明する。なお図６では、ベルト部１１を被測定体７０の腹部７１に巻きつけた状態において、被測定体７０の腹部７１を肋骨面ＸＳおよび腸骨面ＸＨで切り取った円筒形状として模式的に示している。
【００３９】
以下では、電流印加用電極３１Ａと電流印加用電極３１Ｂとを結ぶ線を「電極間線Ａ１」とする。また、縦方向Ｙにおける電流印加用電極３１Ａの位置を縦位置ＬＡとする。また、縦方向Ｙにおける電流印加用電極３１Ｂの位置を縦位置ＬＢとする。
【００４０】
図６に示されるように、電流印加用電極対３１は、右半身の右脇腹７１Ｃと上前腸骨棘７４との間に設けられている。すなわち、電流印加用電極３１Ａは右脇腹７１Ｃと上前腸骨棘７４との間かつ肋骨面ＸＳの下側に配置されている。また、電流印加用電極３１Ｂは右脇腹７１Ｃと上前腸骨棘７４との間かつ腸骨面ＸＨの上側に配置されている。
【００４１】
縦位置ＬＡから縦位置ＬＢまでの縦方向Ｙの範囲を「電極間範囲ＲＸ」としたとき、電圧測定用電極対４１の配置は次のように説明することができる。
電圧測定用電極対４１は、縦位置ＬＡと縦位置ＬＢとの間に配置されている。すなわち、各電圧測定用電極４１Ａ，４１Ｂの双方が電極間範囲ＲＸ内に配置されている。また、各電極４１Ａ，４１Ｂは電極間線Ａ１かつ投影線ＣＳ上に配置されている。また、電圧測定用電極対４１の中間位置は電流印加用電極対３１の中間位置および臍面ＸＮと一致している。
【００４２】
図７に示されるように、電流印加用電極３１Ａと電流印加用電極３１Ｂとの距離ＴＡは、皮下脂肪８１および筋肉８３の層を足した厚さＴＢ（一般に、１０〜４０ｍｍ）よりも大きい。このため、電流印加用電極対３１に電流が印加されたとき、電圧測定用電極対４１により測定される電圧は、内臓脂肪８２の部位をよく反映したものとなる。
【００４３】
次に、内臓脂肪８２の測定態様について説明する。
電流印加用電極３１Ａから電流印加用電極３１Ｂに向けて流される電流は、体幹軸ＣＢに沿う態様で被測定体７０の内部を流れる。電流が被測定体７０の内部を流れる際に、被測定体７０の組成、皮下脂肪８１、内臓脂肪８２および筋肉８３のそれぞれの抵抗値に基づいて電圧が変化する。
【００４４】
測定者の操作により内臓脂肪８２の測定が開始されたとき、各電流印加用電極３１Ａ，３１Ｂの間で電流が流されるとともに、この電流の電圧値が各電圧測定用電極４１Ａ，４１Ｂにより測定される。そして、測定された電圧値に基づいて各電極３１Ａ，３１Ｂの間、およびこれら電極３１Ａ，３１Ｂ付近の内臓脂肪８２の量として右半身側の内臓脂肪８２の体積が算出される。そして、この算出結果に基づいて表示部２３に内臓脂肪８２の体積が表示される。
【００４５】
以上詳述したように、本実施形態によれば以下に示す効果を奏することができる。
（１）本実施形態では、被測定体７０の腹部７１において体幹軸ＣＢを体表に投影した投影線ＣＳ上に電流印加用電極対３１が設けられる。電流印加用電極３１Ａおよび電流印加用電極３１Ｂの距離は、被測定体７０の測定部の皮下脂肪８１の層と筋肉８３の層とを合わせた厚さより大きい。そして、電流印加用電極対３１に電流が印加されたときには、被測定体７０を縦方向Ｙに流れる電流の電圧を測定することになるため、内臓脂肪８２の立体的な分布に基づいた測定結果を得ることができるようになる。
【００４６】
また、電流印加用電極３１Ａと電流印加用電極３１Ｂとの距離ＴＡが、被測定体７０の測定部の皮下脂肪層と筋肉層とを合わせた厚さＴＢより大きい。すなわち、電極３１Ａと電極３１Ｂとは、電極３１Ａから印加された電流が内臓脂肪８２を通過して他方の電極に戻る経路を形成する間隔を備えて配置されているため、電流が内臓脂肪８２に達する。このため、内臓脂肪８２をよく反映した電圧を検出することができる。従って、内臓脂肪８２の体積を精度良く測定することができる。
【００４７】
また、被測定体７０の体幹軸ＣＢ方向の位置において電流印加用電極３１Ａと電流印加用電極３１Ｂとの間に電圧測定用電極対４１が設けられるため、電圧測定用電極対４１が電極３１Ａと電極３１Ｂとの間の外側に設けられた場合と比較して、電圧を高感度で検出することができる。
【００４８】
（２）腹部７１の周方向においては、右半身の上前腸骨棘７４と右脇腹７１Ｃとの間、および左半身の上前腸骨棘７４と左脇腹７１Ｄとの間に最も内臓脂肪８２がつく傾向にある。本実施形態では、右半身の上前腸骨棘７４と右脇腹７１Ｃとの間に電流印加用電極対３１が配置されるため、右半身においてもっとも内臓脂肪８２の多い部位をよく反映した電圧を検出することができる。内臓脂肪８２の多い部位と全体の内臓脂肪８２量とはよく相関するため、内臓脂肪８２の体積を精度良く測定することができる。
【００４９】
（３）本実施形態では、電流印加用電極３１Ａは肋骨下縁７６付近に配置され、電流印加用電極３１Ｂは上前腸骨棘７４付近に配置される。したがって、電流印加用電極対３１の電流は腹部７１の中心部分まで到達するため、右半身の内臓脂肪８２の全体量をよく反映した電圧を検出することができる。
【００５０】
（４）腹部７１の体幹軸ＣＢ方向においては、臍面ＸＮ付近にもっとも内臓脂肪８２がつく傾向にある。本実施形態では、電圧測定用電極４１Ａは臍面ＸＮよりも上側に配置され、電圧測定用電極４１Ｂは臍面ＸＮよりも下側に配置されているため、もっとも内臓脂肪８２の多い部位をよく反映した電圧を検出することができる。また、肥満やメタボリックシンドロームの判定には、臍面ＸＮの位置における体脂肪量が基準値としてよく用いられる。従って、このように臍面ＸＮ付近の内臓脂肪８２をよく反映した値を算出することで、前述の基準値との比較を行うことができる。
【００５１】
（５）本実施形態では、電流印加用電極３１Ａおよび電圧測定用電極４１Ａおよび電圧測定用電極４１Ｂおよび電流印加用電極３１Ｂがこの順に一列に配置されている。このため、電極３１Ａ，４１Ａ，４１Ｂ，３１Ｂを一列に配置しない場合と比較して電流印加用電極対３１と電圧測定用電極対４１との距離が小さくなるため、高感度で電圧測定を行うことができる。
【００５２】
（６）本実施形態では、ベルト部１１に電流印加用電極対３１および電圧測定用電極対４１が設けられている。このため、内臓脂肪８２の測定にあたり電流印加用電極対３１と電圧測定用電極対４１との位置関係、および各電極の位置関係を内臓脂肪８２の測定毎に同じものにすることができる。
【００５３】
（７）本実施形態では、測定部２０を被測定体７０に固定するためのベルト部１１が設けられている。このため、測定者が測定部２０を手で保持しながら内臓脂肪８２の測定を行う場合に比べて被測定体７０に対する各電極対３１，４１の位置のずれを小さくすることができる。また、内臓脂肪８２の測定時に測定者が測定部２０を手で保持する必要がないため、測定者の負担を軽減することができる。
【００５４】
（８）本実施形態では、被測定体７０の上前腸骨棘７４を基準として電流印加用電極対３１および電圧測定用電極対４１の位置を設定するための目印部１２Ｂを備えている。また、被測定体７０の肋骨下縁７６を基準として電流印加用電極対３１および電圧測定用電極対４１の位置を設定するための目印部１２Ａを備えている。従って、内臓脂肪８２の測定毎に測定位置が大きく異なることが抑制されるため、被測定体７０の同一部位についての内臓脂肪８２の経時的な変化を適切に測定することができるようになる。
【００５５】
（９）本実施形態では、電圧測定用電極対４１の測定電圧に基づいて内臓脂肪８２の体積を算出する。このため、測定者が被測定体７０の各部位の内臓脂肪８２の体積を把握することができる。
【００５６】
（１０）本実施形態では、電圧測定用電極対４１の測定電圧に基づいて内臓脂肪８２の三次元的な分布を表示する表示部２３を備えている。このため、測定者は内臓脂肪８２の立体的な分布を視認することができる。
【００５７】
（第２実施形態）
図８を参照して、本発明の第２実施形態について説明する。
本実施形態では、第１実施形態の検出部２１の電流印加用電極および電圧測定用電極の配置を変更している。以下にこの変更された部分についての詳細を示す。なお、その他の点については第１実施形態と同様の構成が採用されているため、共通する構成については同一の符号を付してその説明を省略する。
【００５８】
図８に示されるように、検出部２１の電流印加用電極対３１および電圧測定用電極対４１を構成する電極３１Ａ，４１Ａ，４１Ｂ，３１Ｂは、右脇腹７１Ｃにおいて、この順で投影線ＣＳ上に一列に配置されている。
【００５９】
電流印加用電極３１Ａは右脇腹７１Ｃ付近かつ肋骨面ＸＳの下側に配置されている。また、電流印加用電極３１Ｂは右脇腹７１Ｃ付近かつ腸骨面ＸＨの上側に配置されている。
電圧測定用電極対４１は、縦位置ＬＡと縦位置ＬＢとの間に配置されている。すなわち、電圧測定用電極４１Ａ，４１Ｂは電極間範囲ＲＸ内に双方とも配置されている。また、各電極４１Ａ，４１Ｂは電極間線Ａ１かつ投影線ＣＳ上に配置されている。また、電圧測定用電極対４１の中間位置は電流印加用電極対３１の中間位置および臍面ＸＮと一致している。
【００６０】
以上詳述したように、本実施形態によれば内臓脂肪８２の立体的な分布に基づいた測定結果を得ることができる旨の（１）の効果および（３）〜（１０）に準じた効果を奏することができる。
【００６１】
（第３実施形態）
図９を参照して、本発明の第３実施形態について説明する。
本実施形態では、第１実施形態の検出部２１の電流印加用電極および電圧測定用電極の配置を変更している。以下にこの変更された部分についての詳細を示す。なお、その他の点については第１実施形態と同様の構成が採用されているため、共通する構成については同一の符号を付してその説明を省略する。
【００６２】
図９に示されるように、検出部２１の電流印加用電極対３１および電圧測定用電極対４１を構成する電極３１Ａ，４１Ａ，４１Ｂ，３１Ｂは、臍７２を通過する被測定体７０の周上の位置において、この順で臍７２を通過する投影線ＣＳ上に一列に配置されている。
【００６３】
電流印加用電極３１Ａは肋骨面ＸＳの下側に配置されている。また、電流印加用電極３１Ｂは腸骨面ＸＨの上側に配置されている。
電圧測定用電極対４１は、縦位置ＬＡと縦位置ＬＢとの間に配置されている。すなわち、電圧測定用電極４１Ａ，４１Ｂは電極間範囲ＲＸ内に配置されている。また、各電極４１Ａ，４１Ｂは電極間線Ａ１上に配置されている。また、電圧測定用電極対４１の中間位置は電流印加用電極対３１の中間位置および臍面ＸＮと一致している。
【００６４】
以上詳述したように、本実施形態によれば内臓脂肪８２の立体的な分布に基づいた測定結果を得ることができる旨の（１）の効果および（３）〜（１０）に準じた効果を奏することができる。
【００６５】
（第４実施形態）
図１０を参照して、本発明の第３実施形態について説明する。
本実施形態では、第１実施形態の検出部２１の電圧測定用電極の配置を変更している。以下にこの変更された部分についての詳細を示す。なお、その他の点については第１実施形態と同様の構成が採用されているため、共通する構成については同一の符号を付してその説明を省略する。
【００６６】
図１０に示されるように、検出部２１の電流印加用電極対３１は、右半身の右脇腹７１Ｃと上前腸骨棘７４との間に設けられている。すなわち、電流印加用電極３１Ａは右脇腹７１Ｃと上前腸骨棘７４との間かつ肋骨面ＸＳの下側に配置されている。また、電流印加用電極３１Ｂは右脇腹７１Ｃと上前腸骨棘７４との間かつ腸骨面ＸＨの上側に配置されている。
【００６７】
電圧測定用電極対４１は、縦位置ＬＡと縦位置ＬＢとの間に配置されている。すなわち、電圧測定用電極４１Ａ，４１Ｂは電極間範囲ＲＸ内に配置されている。また、各電極４１Ａ，４１Ｂは電極間線Ａ１よりも臍７２に近い位置に配置されている。また、電圧測定用電極対４１および電流印加用電極対３１の中間位置は、それぞれ臍面ＸＮと一致している。
【００６８】
以上詳述したように、本実施形態によれば内臓脂肪８２の立体的な分布に基づいた測定結果を得ることができる旨の（１）の効果および（２）〜（４）および（６）〜（１０）に準じた効果を奏することができる。
【００６９】
（第５実施形態）
図１１を参照して、本発明の第５実施形態について説明する。
本実施形態では、第２実施形態の検出部２１の電圧測定用電極の配置を変更している。以下にこの変更された部分についての詳細を示す。なお、その他の点については第１実施形態と同様の構成が採用されているため、共通する構成については同一の符号を付してその説明を省略する。
【００７０】
図１１に示されるように、検出部２１は、電流印加用電極対３１と、６つの電圧測定用電極対４１，４２，４３，４４，４５，４６とから構成されている。電圧測定用電極対４２は、電極４２Ａおよび電極４２Ｂにより構成されている。電圧測定用電極対４３は、電極４３Ａおよび電極４３Ｂにより構成されている。電圧測定用電極対４４は、電極４４Ａおよび電極４４Ｂにより構成されている。電圧測定用電極対４５は、電極４５Ａおよび電極４５Ｂにより構成されている。電圧測定用電極対４６は、電極４６Ａおよび電極４６Ｂにより構成されている。
【００７１】
電流印加用電極対３１および電圧測定用電極対４１を構成する各電極３１Ａ，４１Ａ，４１Ｂ，３１Ｂは、右脇腹７１Ｃにおいて、この順で投影線ＣＳ上に一列に配置されている。
【００７２】
電極対４２は、電極対４１と横方向Ｘにおいて平行かつ、右半身において電極対４１よりも臍７２側に配置されている。
電極対４３は、電極対４２と横方向Ｘにおいて平行かつ、右半身において電極対４２よりも臍７２側に配置されている。
【００７３】
電極対４４は、電極対４３と横方向Ｘにおいて平行かつ、左半身において臍７２付近に配置されている。
電極対４５は、電極対４４と横方向Ｘにおいて平行かつ、左半身において電極対４４よりも左脇腹７１Ｄ側に配置されている。
【００７４】
電極対４６は、電極対４５と横方向Ｘにおいて平行かつ、左脇腹７１Ｄ上に配置されている。
すなわち、電極４１Ａ，４２Ａ，４３Ａ，４４Ａ，４５Ａ，４６Ａは臍面ＸＮと平行かつ臍面ＸＮよりも上方側の同一面上に配置される。電極４１Ｂ，４２Ｂ，４３Ｂ，４４Ｂ，４５Ｂ，４６Ｂは臍面ＸＮと平行かつ臍面ＸＮよりも下方側の同一面上に配置されている。
【００７５】
電圧測定用電極対４１〜４６は、いずれも縦位置ＬＡと縦位置ＬＢとの間に配置されている。すなわち、電圧測定用電極４１Ａ，４１Ｂ，４２Ａ，４２Ｂ，４３Ａ，４３Ｂ，４４Ａ，４４Ｂ，４５Ａ，４５Ｂ，４６Ａ，４６Ｂは電極間範囲ＲＸ内に配置されている。また、電圧測定用電極対４１〜４６の中間位置は電流印加用電極対３１の中間位置および臍面ＸＮと一致している。
【００７６】
測定者の操作により内臓脂肪８２の測定が開始されたとき、電流印加用電極対３１の間で電流が流される。そしてこのとき、まず電圧測定用電極対４１により電圧値が検出される。次に、電圧測定用電極対４２により電圧値が検出される。以降同様に、電圧測定用電極対４３〜４６により順次電圧値が検出される。
【００７７】
電極対４１の電圧値は、右脇腹７１Ｃ付近の内臓脂肪８２を反映する。
電極対４２の電圧値は、右半身において電極対４１よりも臍７２側付近の内臓脂肪８２を反映する。
【００７８】
電極対４３の電圧値は、右半身において電極対４２よりも臍７２側付近の内臓脂肪８２を反映する。
電極対４４の電圧値は、左半身において臍７２付近の内臓脂肪８２を反映する。
【００７９】
電極対４５の電圧値は、左半身において電極対４４よりも左脇腹７１Ｄ側付近の内臓脂肪８２を反映する。
電極対４６の電圧値は、左脇腹７１Ｄ付近の内臓脂肪８２を反映する。
【００８０】
そして、これら電極対４１〜４６の電圧値に基づいて周方向における各位置の内臓脂肪８２の分布を表示部２３に表示する。また、これら電圧値から算出される内臓脂肪量を平均して、腹部７１全体の内臓脂肪量を算出し、これを表示部２３に表示する。
【００８１】
以上詳述したように、本実施形態によれば第３実施形態の効果に加えて以下の効果を奏することができる。
（１１）本実施形態では、６つの電圧測定用電極対４１〜４６を備えている。このため、電流印加用電極対３１の間のさまざまな位置での電圧測定を行うことができる。従って、より精度良く内臓脂肪８２の体積を測定することができる。
【００８２】
（１２）本実施形態では、電流印加用電極対３１を右脇腹７１Ｃの付近に配置するとともに、電圧測定用電極対４６を左脇腹７１Ｄの付近に配置している。すなわち、電流印加用電極対３１と電圧測定用電極対４６とは被測定体７０の対向位置に配置されている。これにより、腹部７１において電流が流れる最も遠い位置の電圧を含む電圧を測定することができるため、より精度のよい測定が可能となる。
【００８３】
（１４）本実施形態では、１つの電流印加用電極対３１の間に複数の電圧測定用電極対４１〜４６を備えている。従って、電極対を構成する電極の組み合わせを測定目的に応じて選択および切り替えることができる。
【００８４】
（第６実施形態）
図１２を参照して、本発明の第６実施形態について説明する。
本実施形態では、第５実施形態の検出部２１の電流印加用電極の形状および配置を変更している。以下にこの変更された部分についての詳細を示す。なお、その他の点については第１実施形態と同様の構成が採用されているため、共通する構成については同一の符号を付してその説明を省略する。
【００８５】
図１２に示されるように、検出部２１は、電流印加用電極３２Ａ，３２Ｂから構成される電流印加用電極対３２と、６つの電圧測定用電極対４１〜４６とを含んで構成されている。
【００８６】
電流印加用電極３２Ａは、被測定体７０の右脇腹７１Ｃから左脇腹７１Ｄにかけて臍面ＸＮと平行な方向に延びる帯状の電極として構成されている。電流印加用電極３２Ｂは、被測定体７０の右脇腹７１Ｃから左脇腹７１Ｄにかけて臍面ＸＮと平行な方向に延びる帯状の電極として構成されている。
【００８７】
以上詳述したように、本実施形態によれば第５実施形態の効果に加えて以下の効果を奏することができる。
（１５）本実施形態では、電流印加用電極３２Ａを帯状としているので、前部７１Ａの広範囲に電流を印加することができるようになる。そして６つの電圧測定用電極対４１，〜４６を設けて電圧値を測定しているので、精度良く内臓脂肪８２の体積を測定することができる。
【００８８】
（第７実施形態）
図１３を参照して、本発明の第７実施形態について説明する。
本実施形態では、第１実施形態の測定部２０を変更している。以下にこの変更された部分についての詳細を示す。なお、その他の点については第１実施形態と同様の構成が採用されているため、共通する構成については同一の符号を付してその説明を省略する。
【００８９】
図１３に示されるように、ベルト部１１には、被測定体７０に対して電圧測定用電極４１Ａ，４１Ｂを周方向に移動させるための可動部１４が設けられている。可動部１４は、測定部２０上において各電圧測定用電極４１Ａ，４１Ｂをスライドさせるためのレールを含めて構成されている。電圧測定用電極４１Ａと電圧測定用電極４１Ｂとは、接続部１５により互いに接続されている。接続部１５が測定者により操作されたとき、接続部１５の移動にともない各電極４１Ａ，４１Ｂが対応する可動部１４上を移動する。測定者は、横方向Ｘにおいての可動部１４の右端位置としての右脇腹７１Ｃから左端位置としての左脇腹７１Ｄまでの間で各電極４１Ａ，４１Ｂを移動させることができる。なお、電圧の測定時には各電極４１Ａ，４１Ｂを可動部１４に固定することができる。
【００９０】
以上詳述したように、本実施形態によれば上記各実施形態の（１）〜（１４）に準じた効果に加えて以下の効果を奏することができる。
（１６）本実施形態では、電圧測定用電極４１Ａ，４１Ｂを被測定体７０上において移動させるための可動部１４を設けているため、複数の電圧測定用電極対を備えなくとも体表面上のさまざまな位置で電圧を測定することができる。
【００９１】
（１７）本実施形態では、電圧測定用電極４１Ａと電圧測定用電極４１Ｂとを接続部１５により接続している。このため、電圧測定用電極４１Ａと電圧測定用電極４１Ｂとの相対的な位置関係を一定に維持したまま体表面上のさまざまな位置で電圧を測定することができる。
【００９２】
（第８実施形態）
図１４を参照して、本発明の第８実施形態について説明する。
本実施形態では、第１実施形態の測定部２０を変更している。以下にこの変更された部分についての詳細を示す。なお、その他の点については第１実施形態と同様の構成が採用されているため、共通する構成については同一の符号を付してその説明を省略する。
【００９３】
図１４（ａ）に示されるように、測定部１２０には、電流印加用電極および電圧測定用電極をそれぞれ取り付けおよび取り外し可能な複数の配置部１６が設けられている。配置部１６としては、縦方向Ｙに５列および横方向Ｘに６列の計３０個が設けられている。
【００９４】
配置部１６には、制御部５０に接続される伝達線２４が接続されている。各配置部１６に電流印加用電極および電圧測定用電極が嵌め込まれたとき、電流印加用電極および電圧測定用電極が伝達線２４と接続される。以下、電流印加用電極および電圧測定用電極の配置態様の例を示す。
【００９５】
図１４（ｂ）に示されるように、電流印加用電極３３Ａを右側端部かつ上側端部の位置に配置する。また、電流印加用電極３３Ｂを右側端部かつ下側端部の位置に配置する。また、電圧測定用電極４７Ａを右側端部かつ電極３３Ａよりも下側に配置する。また、電圧測定用電極４７Ｂを右側端部かつ電極３３Ｂよりも上側に配置する。このとき、各電流印加用電極により１つの電流印加用電極対３３が構成され、各電圧測定用電極により１つの電圧測定用電極対４７が構成される。なお、この電極配置は第１実施形態の電極配置に相当する。
【００９６】
図１４（ｃ）に示されるように、電流印加用電極３３Ａを右側端部かつ上側端部の位置に配置する。また、電流印加用電極３３Ｂを右側端部かつ下側端部の位置に配置する。また、横方向Ｘおよび縦方向Ｙにおいて各電流印加用電極の内側の位置、かつ電極間の中間位置が各電流印加用電極の電極間の中間位置と一致するように各電圧測定用電極４７Ａ，４７Ｂ，４７Ｃ，４７Ｄ，４７Ｅ，４７Ｆ，４７Ｇ，４７Ｈ，４７Ｉ，４７Ｊ，４７Ｋ，４７Ｌを配置部１６に配置する。このとき、各電流印加用電極により１つの電流印加用電極対３３が構成され、各電圧測定用電極により１つの電圧測定用電極対４７が構成される。なお、この電極配置は第５実施形態の電極配置に相当する。
【００９７】
以上詳述したように、本実施形態によれば上記各実施形態の（１）〜（１４）の効果に準じた効果に加えて以下の効果を奏することができる。
（１８）本実施形態では、ベルト部１１に電流印加用電極および電圧測定用電極を取り付けおよび取り外し可能な配置部１６が設けられている。これにより、１つの内臓脂肪測定装置１０で複数の電極の数および配置を選択できるため測定の自由度を高めることができる。
【００９８】
（その他の実施形態）
なお、本発明の実施態様は上記実施形態に限られるものではなく、例えば以下に示す態様をもって実施することもできる。また以下の各変形例は、上記実施形態についてのみ適用されるものではなく、異なる変形例同士を互いに組み合わせて実施することもできる。
【００９９】
・上記第１実施形態では、電圧測定用電極対４１を構成する電極４１Ａ，４１Ｂをいずれも電極間線Ａ１上かつ同一の投影線ＣＳ上に配置したが、電圧測定用電極対４１の配置としてはこれに限られない。例えば、図１５に示すように、電極４１Ａおよび電極４１Ｂを縦方向Ｙについては同じであってかつ横方向Ｘにおいては異なるように配置することもできる。また、電極４１Ａおよび電極４１Ｂを横方向Ｘおよび縦方向Ｙのいずれも異なるように配置することもできる。
【０１００】
・上記第１実施形態では、各電極３１Ａ，４１Ａ，４１Ｂ，３１Ｂの間隔を同じ大きさにしたが、電極間の間隔をこれとは異なる大きさに変更することもできる。その例としては以下のものが挙げられる。
・各電極３１Ａ，３１Ｂの間隔を第１実施形態の間隔よりも小さくする。
・各電極３１Ａ，３１Ｂの間隔を第１実施形態の間隔よりも大きくする。
・各電極４１Ａ，４１Ｂの間隔を第１実施形態の間隔よりも小さくする。
・各電極４１Ａ，４１Ｂの間隔を第１実施形態の間隔よりも大きくする。
【０１０１】
・上記第１実施形態では、右半身に配置した電圧測定用電極対４１により右半身の内臓脂肪８２を測定したが、一方の半身に配置した電極対による半身の測定結果に基づいて他方の半身の内臓脂肪８２を推定することもできる。また、一方の半身の測定結果に基づいて全体の内臓脂肪量を推定することもできる。
【０１０２】
・上記第５および第６実施形態では、各電圧測定用電極対４１〜４６を横方向Ｘに沿って配列したが、各電極対の配置態様を例えば次のように変更することもできる。すなわち、電極対４１〜４６の隣り合う電極同士の横方向Ｘの間隔を、それぞれ異なる大きさに設定することもできる。また、６つの電極対の少なくとも１つの中間位置を臍面ＸＮと一致しないところに変更することもできる。
【０１０３】
・上記第５および第６実施形態では、６つの電圧測定用電極対４１〜４６を設けたが、電圧測定用電極対の数を５つ以上に変更することもできる。または、６つの電極対４１〜４６のうちの１〜５つの電極対を省略することもできる。
【０１０４】
・上記第５および第６実施形態では、電圧測定用電極対４１〜４６のそれぞれの電圧値から算出される内臓脂肪量を平均して、腹部７１全体の内臓脂肪量を算出するようにしたが、それぞれの電圧値から算出される内臓脂肪量を加算して、腹部７１全体の内臓脂肪量を算出するようにしてもよい。
【０１０５】
・上記第７実施形態では、電圧測定用電極４１Ａ，４１Ｂが接続部１５により接続されて、一体となって可動するようにしたが、電圧測定用電極４１Ａ，４１Ｂが個々に移動できるようにしてもよい。
【０１０６】
・上記第７実施形態では、電圧の測定時には各電極４１Ａ，４１Ｂが可動部１４に固定されるようにしたが、各電極４１Ａ，４１Ｂを可動部１４のレールに沿って被測定体７０上を移動させながら測定することもできる。
【０１０７】
・上記第８実施形態では、図１４に示される数および配列で複数の配置部１６を設けたが、配置部１６の数および配列はこれに限らず適宜変更することができる。
・上記第８実施形態では、電極の取り付けおよび取り外しが可能な複数の配置部１６を測定部２０に設けることにより、電極の配置の自由度を高めるようにしたが、このための構成は同実施形態に例示した構成に限られるものではない。例えば、測定部２０および各電極に互いに係合するフックを設け、このフックにより測定部２０に対する電極の取り付けおよび取り外しを可能にすることもできる。
【０１０８】
・上記第１および第２および第４および第５および第７実施形態では、電流印加用電極３１対を右半身に配置したが、臍７２位置を挟んで左半身の左右対称位置に配置するようにしてもよい。
【０１０９】
・上記各実施形態では、腹部７１の上端を肋骨面ＸＳとして電流印加用電極３１Ａを肋骨面ＸＳ付近かつ肋骨面ＸＳよりも下側に設けるようにしたが、腹部７１の定義としてはこれに限られない。例えば腹腔の上端、すなわち横隔膜を腹部上端とすることもできる。また、胸骨下端部を腹部上端とすることもできる。そして、腹部の範囲内であれば、電流印加用電極３１Ａを肋骨面ＸＳ付近かつ肋骨面ＸＳよりも上側に配置するようにしてもよい。
【０１１０】
・上記各実施形態では、電流印加用電極３１Ｂを腸骨面ＸＨ付近かつ腸骨面ＸＨよりも上側に設けるようにしたが、腹部７１の定義としてはこれに限られない。例えば腹腔の下端を腹部下端とすることもできる。また、大腿骨上端を腹部下端とすることもできる。そして、腹部の範囲内であれば、電流印加用電極３１Ｂを腸骨面ＸＨ付近かつ腸骨面ＸＨよりも下側に配置するようにしてもよい。
【０１１１】
・上記各実施形態では、電流印加用電極対３１〜３３を１対のみ備えるようにしたが、複数の電流印加用電極対を備えるようにしてもよい。このときの測定方法としては、まず１つ目の電流印加用電極対に電流を印加し、電圧測定用電極にて電圧を測定する。次に、２つ目の電流印加用電極対に電流を印加し、電圧測定用電極にて電圧を測定する。これを電流印加用電極対の数に応じて繰り返し、電流印加位置の異なる、同一位置での電圧を測定する。
【０１１２】
・上記各実施形態では、各電極を右脇腹７１Ｃと左脇腹７１Ｄとの間であって前部７１Ａ側に配置するようにしたが、背部７１Ｂ側に配置するようにしてもよい。
・上記各実施形態では、電流印加用電極対および電圧測定用電極対の中間位置が一致するようにこれら電極対を配置したが、電流印加用電極対および電圧測定用電極対の中間位置が異なるようにこれら電極対を配置することもできる。
【０１１３】
・上記各実施形態では、ベルト部１１と測定部２０とを含めて内臓脂肪測定装置１０を構成したが、ベルト部１１を省略することもできる。または、図１６（ａ）に示されるようにベルト部１１に代えて測定者が把持できる棒状の把持部１７を測定部２０に取り付ける構成とすることもできる。この構成によれば、使用者は把持部１７を持って電極３１Ａ，３１Ｂ，４１Ａ，４１Ｂを全て体表に接触させた状態、かつ電極３１Ａ，３１Ｂ，４１Ａ，４１Ｂを投影線ＣＳ上に配置した状態で内臓脂肪測定装置１０の測定をすることができる。また、把持部１７を省略して直接的に測定部２０を把持する構成とすることもできる。また、図１６（ｂ）に示されるように、操作部２２および表示部２３を測定部２０とは別体に形成することもできる。なお、把持部１７の取り付け位置としては図１６に示されるものに限らず、被測定体７０の体表とは反対側の面に設けることもできる。さらに、測定部２０の両側面に把持部を設けることもできる。この場合、使用者が両手で把持するとともに腹部７１に電極３１Ａ，３１Ｂ，４１Ａ，４１Ｂを押し当てることができる。
【０１１４】
・上記各実施形態では、操作部２２および表示部２３および制御部５０をベルト部１１に設けるようにしたが、操作部２２および表示部２３および制御部５０をベルト部１１とは別に設けることもできる。例えば、図１７に示されるように、検出部３０の設けられる本体とは別体の体重計台１８を備える内臓脂肪測定装置として構成することもできる。この場合、表示部２３を体重計台１８に設ける。この表示部２３によれば、被測定体７０が内臓脂肪８２の測定結果を容易に視認できるようになる。
【０１１５】
・上記各実施形態では、目印部１２を肋骨下縁７６および上前腸骨棘７４に合わせるようにしたが、臍７２または背骨７７に対応した目印部を設けて、この目印部を臍７２または背骨７７に合わせることもできる。
【０１１６】
・上記各実施形態では、肋骨下縁７６および上前腸骨棘７４に対して直接的に位置を合わせる目印部１２を設けたが、ベルト部１１から上側に向けて突出した目盛部を設けるとともに、この目盛部を用いて肋骨下縁７６からベルト部１１の上端部までの距離を合わせることもできる。また、ベルト部１１から下側に向けて突出した目盛部を設けるとともに、この目盛部を用いて上前腸骨棘７４からベルト部１１の上端部までの距離を合わせることもできる。
【０１１７】
・上記各実施形態では、内臓脂肪８２の測定結果としての内臓脂肪８２の体積を三次元画像で表示部２３に表示するようにしたが、内臓脂肪８２の測定結果を数値で表示することもできる。この場合の例の１つとして、「腹部右：５０ｃｍ３、腹部上：３０ｃｍ３」のように被測定体７０の部位毎に内臓脂肪８２の体積を表示するものが挙げられる。また、メタボリックシンドロームの判定に関する内臓脂肪量の基準とされる臍面ＸＮ（すなわち図５（ｂ）の断面）においての内臓脂肪８２の面積を表示することもできる。
【０１１８】
・上記各実施形態では、測定された電圧に基づいて内臓脂肪量を算出し、これを表示部２３に表示するようにしたが、測定電圧を直接的に表示部２３に表示することもできる。
・上記各実施形態では、内臓脂肪８２の測定結果を表示部２３に表示するようにしたが、測定者に対して測定結果を伝達するための方法はこれに限らない。例えば、表示部２３に加えてまたは表示部２３に代えて、測定者に対して音声により測定結果を伝達する音声部を備えることもできる。
【０１１９】
・上記各実施形態では、電極材としてＳＵＳおよび樹脂材表面を金属めっき処理したものを用いたが、これに代えてゲル材を用いることもできる。
・上記各実施形態では、測定部２０に電源を内蔵するようにしたが、内臓脂肪測定装置１０の外部から電源の供給を受けるようにすることもできる。
【０１２０】
・上記各実施形態では、測定方法の例として被測定体７０が立位にある状態での測定方法を示したが、被測定体７０が座位または仰臥位にある状態でも上記各実施形態での測定方法に準じて内臓脂肪８２の測定を行うことができる。
【０１２１】
・上記各実施形態では、測定対象の例として人体を示したが、動物を測定対象とすることもできる。
【符号の説明】
【０１２２】
１０…内臓脂肪測定装置、１１…ベルト部（本体部）、１１Ａ…背面、１１Ｂ…前面、１２，１２Ａ，１２Ｂ…目印部、１３…ファスナ、１４…可動部、１５…接続部、１６…配置部、１７…把持部、１８…体重計台、２０，１２０…測定部、２１…検出部、２２…操作部、２３…表示部、２４…伝達線、３０…検出部、３１〜３９…電流印加用電極対、３１Ａ，３１Ｂ，３２Ａ，３２Ｂ，３３Ａ，３３Ｂ…電流印加用電極、４１〜４７…電圧測定用電極対、４１Ａ，４１Ｂ，４２Ａ，４２Ｂ，４３Ａ，４３Ｂ，４４Ａ，４４Ｂ，４５Ａ，４５Ｂ，４６Ａ，４６Ｂ，４７Ａ〜４７Ｌ…電圧測定用電極、５０…制御部（算出手段）、７０…被測定体、７１…腹部、７１Ａ…前部、７１Ｂ…背部、７１Ｃ…右脇腹、７１Ｄ…左脇腹、７２…臍、７３…腰部、７４…上前腸骨棘、７５…胸部、７６…肋骨下縁、７７…背骨、８０…体脂肪、８１…皮下脂肪、８２…内臓脂肪、８３…筋肉。
【図１】
0005433475.tif 000002
【図２】
0005433475.tif 000003
【図３】
0005433475.tif 000004
【図４】
0005433475.tif 000005
【図５】
0005433475.tif 000006
【図６】
0005433475.tif 000007
【図７】
0005433475.tif 000008
【図８】
0005433475.tif 000009
【図９】
0005433475.tif 000010
【図１０】
0005433475.tif 000011
【図１１】
0005433475.tif 000012
【図１２】
0005433475.tif 000013
【図１３】
0005433475.tif 000014
【図１５】
0005433475.tif 000015
【図１６】
0005433475.tif 000016
【図１７】
0005433475.tif 000017
【図１４】
0005433475.tif 000018